(57)【特許請求の範囲】
【請求項１】
その垂直軸全体に沿って中心溝を内部に有すると共に、レバー（３）が円筒デバイス（１）に固定される歯（２）とを有する、ストレートベースの円筒デバイス（１）と、
その垂直軸全体に沿って中心溝を内部に有すると共に、トレモロブリッジ（５）に円筒デバイス（１）を固定すべく、トレモロブリッジ（５）に設けられる孔に嵌合される円錐デバイス（４）と、
滑り止め材料で形成され、円筒デバイス（１）と円錐デバイス（４）との間に接合を形成する１以上のリング（６）と、
円錐デバイス（４）をトレモロブリッジ（５）に取付けるために、円筒デバイス（１）、円錐デバイス（４）、及びリング（６）に交差する雄ネジと頭部とを有するピン（７）と、
円筒デバイス（１）、円錐デバイス（４）、リング（６）及びピン（７）で構成されたセットを固定する固定システム（８）とを備えることを特徴とするトレモロブリッジへのレバーの取付用デバイス。
【請求項２】
円筒デバイス（１）のベース孔は、上部の孔に比較した場合に、より小さな直径を有し、前記デバイスへピン（７）を固定可能にすることを特徴とする請求項１に記載のトレモロブリッジへのレバーの取付用デバイス。
【請求項３】
円筒デバイス（１）は、一般的に木材、炭素繊維、ケブラー、多様な金属、樹脂、高耐性プラスチック、及びアクリル副産物のいくつかの種類のような、純粋又は複合（多くの異なる材料の合金）のあらゆる高耐性及び固体材料で形成され、好ましくは金属であることを特徴とする請求項１に記載のトレモロブリッジへのレバーの取付用デバイス。
【請求項４】
円錐デバイス（４）は、一般的に木材、炭素繊維、ケブラー、多様な金属、樹脂、高耐性プラスチック、及びアクリル副産物のいくつかの種類のような、純粋又は複合（多くの異なる材料の合金）のあらゆる高耐性及び固体材料で形成され、好ましくは金属であることを特徴とする請求項１に記載のトレモロブリッジへのレバーの取付用デバイス。
【請求項５】
円錐デバイス（４）は、１０から１５ｍｍの間の好ましくは１２ｍｍである上端部の直径を有し、５から７ｍｍの間の好ましくは６ｍｍである下端部の直径を有することを特徴とする請求項４に記載のトレモロブリッジへのレバーの取付用デバイス。
【請求項６】
円錐デバイス（４）の上端部は、円筒デバイスベース（１）の直径に従うことを特徴とする請求項５に記載のトレモロブリッジへのレバーの取付用デバイス。
【請求項７】
リング（６）は、以下のシリコン、ゴム、コルク、発泡体、ラテックス、及びゴムの生地、好ましくは、シリコン又はゴムのような材料のような、一旦、特定の圧力を受けると、「支持する」ことができ、ミュージシャンによって希望される位置にレバーを「固定」（密着）状態に保持する、あらゆる滑り止め材料で形成され得ることを特徴とする請求項１に記載のトレモロブリッジへのレバーの取付用デバイス。
【請求項８】
ピン（７）は、一般的に、木材、炭素繊維、ケブラー、多様な金属、樹脂、高耐性プラスチック、アクリル副産物のいくつかの種類のような、純粋又は複合のあらゆる高耐性材料で形成され得て、全て固体、好ましくは金属であることを特徴とする請求項１に記載のトレモロブリッジへのレバーの取付用デバイス。
【請求項９】
セットの固定システム（８）は、１以上の圧力ワッシャ（９）及び１以上のナット（１０）によって構成され得ることを特徴とする請求項１に記載のトレモロブリッジへのレバーの取付用デバイス。
【請求項１０】
歯（２）によってレバー（３）に加えられる圧力を調整することを許容する締め付けレンチ（１１）をさらに備えることを特徴とする請求項１に記載のトレモロブリッジへのレバーの取付用デバイス。
【請求項１１】
締め付けレンチ（１１）は、好ましくは「Ｌ」形状であることを特徴とする請求項８に記載のトレモロブリッジへのレバーの取付用デバイス。
【請求項１２】
請求項１から１１に記載のトレモロブリッジへのレバーの取付用デバイス及び前記レバー（３）を備えることを特徴とするキット。
【請求項１３】
ストレートハンドル又は折り目を伴うハンドルを有することを特徴とする請求項１２に記載のキット。
【発明の詳細な説明】
【技術分野】
【０００１】
レバー及びトレモロブリッジは、エレキギターの特殊効果のためのデバイスである。楽器の微調整のためのブリッジであるトレモロブリッジの役割は、前記金属レバーによって指令されて、２以上のオクターブで音符のピッチを上げ又は下げて、鋭い又は重い響きにすることにある。
【０００２】
本発明は、キットとして販売され得るデバイスで形成されているトレモロブリッジへのレバーの取付に対する新たな解決である。
【背景技術】
【０００３】
ブリッジ本体内の雌ネジとレバー端部における雄ネジがある場合、一般に、ネジ接続を通じた固定のような、市場で利用可能な解決がある。このタイプの固定は、使用を通じてネジ山が摩滅して、レバーのずれを形成し、その機能を損なうという不利益を有する。
【０００４】
もう一方の使用可能な固定のタイプは、外部ナットを通じて、ブリッジベースに取付けられているロックナットのエレベーションまでネジ締めされる。このタイプは、部品の間にずれをほぼ発生させない点で新しいが（ベース及びレバーの両方の）ネジ山が摩滅するにつれて、それらはずれを形成し、たとえネジ山に十分な圧力を加えたとしても、それは、時間が経つにつれて抜け出てしまうので、その位置にしっかりとレバーを固定するためにテフロンテープを使用することが必要である。
【０００５】
国際特許出願第ＷＯ２００６／１０７５９６号は、上記で述べた両方のタイプを調和するレバー固定に言及している。ブリッジベースに取付けられると同時に雌ネジを有するロックナットエレベーションがある。レバーは、端部に雄ネジを有すると共に、ナットを有し、それ故に、レバー端部が、エレベーションの雌ネジ内に噛み合い、その後、ナットが、ブリッジベースとして同じエレベーションのロックナット内にネジ締めされる。国際特許出願ＷＯ２００８／１１８５５７号は、同様な固定タイプに言及しており、レバーは、トレモロブリッジの円筒チャンバにネジ締めされ、ナットは、それを固定したままにするためにレバーベースにネジ締めされる。
【０００６】
その回転に関して、圧力を通じた固定は、レバー自身の中のプラスチックリング（ベアリング）を使用するが、プラスチックリングは時間の経過に伴って摩滅して、ずれを形成する。加えて、それらは市場で見つけられないので、交換することが難しい。一部のモデルは、ベアリングに六角レンチを加え、新しい交換用のリングの不足により又はまさにシステムが製造業者による主張のようには正確でないために、さらには、大抵、形成されたずれを是正することを試みるためのテフロンテープを使用することもまた必要であるので、それらは大抵、ずれを相殺するための第２ネジも必要である。もう一方の問題は、六角レンチが小さすぎ、紛失し易く、非常に壊れやすく、ネジ山及びそれらの側面ロック式の孔の先端は、それらの取扱いを通じて、自然摩滅を受けることである。
【０００７】
六角ネジ及びそのそれぞれのレンチでサイドロックによってのみ取り付けられる、ネジ山のない固体レバーもある。この解決は、上記に類似する問題及び不利益を有するが、例えそうであっても、現在までミュージシャンは、レバーを取付けるための最も機能的なシステムと考えている。
【発明の概要】
【発明が解決しようとする課題】
【０００８】
上記指摘した解決の不便な側面と欠陥とが原因で、レバーは、楽器の性能において弱点になる。市場においてレバーのための適切な交換品がないので、大抵、それを交換する必要があり、ミュージシャンに困難をもたらす。特定の店では、レバーを単品で販売できるが、彼らは同じモデルでほとんどそれらを調達しない。あるいは、それらは、高価格のセット及び輸入の難しさの限定状況を有しているので、トレモロブリッジセットの一部としてのみ販売される。
【０００９】
特殊なローラベアリングのトレモロブリッジに取付けられて単一品を形成する固定ネジ軸をもつデバイスを使用することによってではあるが、ＰＩ０６０５４３１号は、既に、チャックに類似するデバイスを通じてトレモロブリッジにレバーの取付けのための解決を示している。本発明は、単純かつ安価に製造される小さな部品を有し、加えて、ずれのない、「緩い」又は「固定」という、トレモロブリッジに関して希望する位置にレバーを維持する選択肢をもつミュージシャンの利益と共に、強固かつ容易に調節可能なレバーの固定を提供し、この移動は、ギター本体に平行であり、その距離は不変であり、固定システムに作用する圧力（固さ）にのみ依存する。
【発明を実施するための形態】
【００１０】
本発明は、図２Ａ、２Ｂ（上面図）、及び２Ｃ（正面図）により最もよく示される、その垂直軸全体に沿って中心溝を内部に有すると共に、レバー３がデバイス１に取付けられる歯２を有するストレートベースの円筒デバイス１と、トレモロブリッジ５への円筒デバイスに適合することを許容する、その垂直軸全体に沿って中心溝を内部に有する１つの固体円錐デバイス４と、円筒デバイス１と円錐デバイス４との間に接合を形成するリング６と、トレモロブリッジ５に円錐デバイス４及びリング６を取付けるために、雄ネジと円筒デバイス１に交差する頭部とを有するピン７と、ピン７と共に上記部品のセットをトレモロブリッジ５へ固定するシステム８とで形成される、図１に係るトレモロブリッジへのレバーの取付用デバイスである。図３は、デバイスがどのようにトレモロブリッジに取付けられるかを示す。
【００１１】
歯付円筒デバイス１は、掘削機で使用されているチャックに類似しているが、大きな接触面積を提供し、その結果としてトレモロブリッジ５へのデバイスのより大きな密着を提供するストレートベースを有する。もう一つの違いは、ベース孔が、その上部のそれよりもより小さい直径を有し、上記デバイスにピンを取付けることを可能にしているということである。一般的に、木材、炭素繊維、ケブラー、多様な金属、樹脂、高耐性プラスチック、及びアクリル副産物のいくつかの種類のような、純粋又は複合（多くの異なる材料の合金）のあらゆる高耐性材料で形成され得て、全て固体、好ましくは固体金属で形成される。ネジを通じて取付けられているレバーの場合に生じるずれ及び摩滅なしに、歯２は、その中にレバー３のしっかりとした固定を許容する。加えて、歯が同様に固定するので、ネジ山を有する及び有しない両方のレバーを用いることができる。
【００１２】
円錐デバイス４は、一般的に、木材、炭素繊維、ケブラー、多様な金属、樹脂、高耐性プラスチック、及びアクリル副産物のいくつかの種類のような、純粋又は複合（多くの異なる材料の合金）のあらゆる高耐性材料で形成され得て、全て固体、好ましくは固体金属で形成される。上端の直径は、１０から１５ｍｍの間であり、好ましくは１２ｍｍであり、下端の直径は５から７ｍｍの間であり、好ましくは６ｍｍである。円錐デバイス４の上端は、常に、円筒デバイスベース１の直径に従う。レバーがトレモロブリッジ５に取付けられる支持位置は、ブリッジモデルとブランドに応じて多様な直径を有する。その形状に起因して、円錐デバイス４は、任意の支持位置の直径に適応する。
【００１３】
トレモロブリッジ５のベースよりも下にある、デバイス８の固定システムが締め付けられるとき、ワッシャ又はジョイントとも呼ばれるリング６は、円筒デバイス１のベースと円錐デバイス４の上部との間で発生する圧力を許容するデューティーを有し、それ故に、レバー３は、このシステム８に掛かる圧力に応じて、所望の位置に調整され得る。リング６は、以下のシリコン、ゴム、コルク、発泡体、ラテックス、及びゴムの生地、好ましくは、シリコン又はゴムのような材料のような、一旦、特定の圧力を受けると、「支持する」ことができ、ミュージシャンによって希望される位置にレバーを「固定」（密着）状態に保持するあらゆる滑り止め材料で形成され得る。
【００１４】
ピン７は、リング６を除く、デバイス全体を形成する他の部品と同様に、一般的に、木材、炭素繊維、ケブラー、多様な金属、樹脂、高耐性プラスチック、及びアクリル副産物のいくつかの種類のような、純粋又は複合（多くの異なる材料の合金）のあらゆる高耐性材料で形成され得て、全て固体、好ましくは固体金属で形成される。ピン７と共にトレモロブリッジ５に上述の部品セットを固定するシステム８は、１以上の圧力ワッシャ９及び１以上のナット１０によって形成され得る。
【００１５】
圧力ワッシャ９は、振動に起因する時間の経過に伴う部品の抜け出しなしに、トレモロブリッジ５のベースに部品を取付けることを許容する。それは、抵抗力と順応性の両方がある、一般的に、木材、炭素繊維、ケブラー、多様な金属、樹脂、高耐性プラスチック、及びアクリル副産物のいくつかの種類のような、純粋又は複合のあらゆる材料で形成され得て、全て固体、好ましくは固体金属で形成される。トレモロブリッジへのレバーの取付用デバイスは、さらに、締め付け孔１２を通じて、レバー３への円筒デバイス１の歯２によって適用される圧力を調整することを許容する、好ましくは「Ｌ」形状の締め付けレンチ１１を備える。
【００１６】
トレモロブリッジへのレバーの取付用の本デバイスは、ストレートハンドル又は折り目を有し得るレバー３を足したデバイスの全ての部品を備えるキットとして販売され得る。
【００１７】
トレモロブリッジへのレバーの取付用のクレームされたデバイスは、それ故に、部品の容易な交換と共に、市場で入手可能なものよりも低いコストであるという効果的な解決である。
【００１８】
以下は、本発明をより良く説明するための例であるが、ここに述べられた発明を限定する意図を有しない。
【００１９】
例１：頭部を有する金属ネジピン７は、雌ネジを有しないストレートベースの円筒デバイス１に導入される。その頭部は、デバイス１のベースに固定される。円筒デバイス１及びブリッジ５の間に、滑り止め材料及び固体金属の円錐デバイス４のリング６を位置させる必要がある。ピン７は、その後、圧力ワッシャ９及びナット１０で構成されるシステム８を通じて、ブリッジベース５に固定される。ストレートハンドルレバー３は、円筒デバイス１の内側上部孔内に存在する可動歯２の間にそのより小さな端部を導くことにより、円筒デバイス１に固く取付けられる。従来通り、上記歯の開閉は、締め付け孔１２の周りに円筒デバイス１の締め付けレンチ１１を回転することにより、調節される。
【図１】
0005711670.tif 000002
【図２Ａ】
0005711670.tif 000003
【図２Ｂ】
0005711670.tif 000004
【図２Ｃ】
0005711670.tif 000005
【図３】
0005711670.tif 000006